(57)【要約】【課題】本発明は、パチンコ機の打釘ゲージを調整する際に使用される、打球発射の安定した作動を提供できるテスト打ち用操作ハンドル補助具に関する。特に、操作ハンドルの形態の多様化、取付部位の変化に対応可能な汎用性のあるテスト打ち用操作ハンドル補助具に関する。【解決手段】パチンコ機の打釘ゲージを調整する際に使用されるテスト打ち用操作ハンドル補助具において、複数のヒンジ８、９からなるバネにより所定角内方に屈曲された丁番部と、各々が内方に折り曲げられた複数のツメの一端側で固定する前記ヒンジと、前記ヒンジに設けた前記ツメの各々の開き角度を調整し、かつ、固定可能とする角度設定部と、前記操作ハンドルに設けられた回転ハンドル用レバーの戻り回転を前記ツメの側面で前記丁番部及び前記各々のツメのバネ弾性で保持し規制可能とした変形操作ハンドルに対応可能なことを特徴とするテスト打ち用操作ハンドル補助具。【選択図】　図１
2004121559.tif 000002
【特許請求の範囲】
【請求項１】
パチンコ機の打釘ゲージを調整する際に使用されるテスト打ち用操作ハンドル補助具において、複数のヒンジ８、９からなるバネにより所定角内方に屈曲された丁番部と、各々が内方に折り曲げられた複数のツメの一端側で固定する前記ヒンジと、前記ヒンジに設けた前記ツメの各々の開き角度を調整し、かつ、固定可能とする角度設定部と、前記操作ハンドルに設けられた回転ハンドル用レバーの戻り回転を前記ツメの側面で前記丁番部及び前記各々のツメのバネ弾性で保持し規制可能とした変形操作ハンドルに対応可能なことを特徴とするテスト打ち用操作ハンドル補助具。
【請求項２】
前記ヒンジ毎に複数枚設けた前記ツメの各々の開き角度を互いに自在に調整可能とし、かつ、固定可能とした角度設定部とを設けたことを特徴とした請求項１記載のテスト打ち用操作ハンドル補助具。
【請求項３】
前記ツメの他端部近傍に滑り止め用チューブを被冠させたことを特徴とする請求項１又は２記載のテスト打ち用操作ハンドル補助具。
【請求項４】
各々が内方に折り曲げられた複数のバネ弾性を有するツメと、該ツメの一端側で固定する２組の角度設定部１１、１２を各々有する２枚のヒンジと、バネを付設して心棒７で前記ヒンジを電気的・機械的に接続させ、前記バネにより各々のヒンジ角度を内方に屈曲させた羽根形態である丁番部とした請求項１及び３記載のいずれか記載のテスト打ち用操作ハンドル補助具。
【発明の詳細な説明】
【０００１】
【発明の属する技術分野】
本発明は、パチンコ機の打釘ゲージを調整する際に使用される、打球発射の安定した作動を提供できるテスト打ち用操作ハンドル補助具に関する。特に、操作ハンドルの形態の多様化、取付部位の変化に対応可能な汎用性のあるテスト打ち用操作ハンドル補助具に関する。
【０００２】
【従来の技術】
パチンコ機は遊技者による操作ハンドルの操作で出玉率が変化する。このため、パチンコホールにおいては数百台にも及ぶ多数のパチンコ機を設置しており、新規台設置時や定期、非定期に打釘ゲージを調整して出玉率を管理することが必須である。打釘ゲージの調整作業は１台毎に回転ハンドル固定用ハンドルストッパーと呼ばれる補助具を使用したパチンコ玉連続発射方法や、従業員が個別に処理した方法等が行われていた。出玉のチェックは労力及び時間コストが掛かるため合理化の観点から、前者のハンドルストッパーが用いられるようになってきた。このハンドルストッパーについは本件出願人の１から出願されたテスト打ち用操作ハンドル補助具（例えば、登録実用新案文献１）の改良に係る。
【０００３】
その理由は、近時、操作ハンドルの形態、取付部位、機能面で変化が著しく、前記ハンドルストッパーでは操作ハンドルの形態変化に十分対応できない課題があった。パチンコ玉を発射させる操作ハンドルは様々な形態が存在するために、テスト打ち装置の使用が制限されるという不都合がある。とりわけ、従来の同心円型のハンドル（例えば、特許文献１、登録実用新案文献１）から非同心円型（例えば、特許文献２）、異形の回転ハンドルが同心円からはみ出すようなもの（例えば、特許文献２）、操作ハンドルからサイドに横板が配置されているようなもの（例えば、特許文献３）等（以下変形操作ハンドルと称する。これらのものは同心円型以外を除く意味として用いる。）同心円型でないものが使用ないし開示されてきている。
【登録実用新案文献１】登録実用新案公報第３０３３９２１号、図３
【特許文献１】特開２００２−１４３４１０、図３、図４
【特許文献２】特開２００２−４５４８１、図３
【特許文献３】特開２００１−１７８８９２、図９
【０００４】
【発明が解決しようとする課題】
しかしながら、これらの形態等の操作ハンドルには前記のハンドルストッパーではパチンコ玉を打撃する槌を打球作動状態に保持させ、打釘ゲージの調整作業を能率的に行うことが困難であること、特に、板バネのみを使用しているためバネの押さえのみでは特定のサイズ、形態が同一といったいわば同心円型のものにしか機能しないことが明らかとなっていた。このためかかる課題解決が必要となってきた。
【０００５】
【課題を解決するための手段】
本発明は、パチンコ機の打釘ゲージを調整する際に使用されるテスト打ち用操作ハンドル補助具において、複数のヒンジ８、９からなるバネにより所定角内方に屈曲された丁番部と、各々が内方に折り曲げられた複数のツメの一端側で固定する前記ヒンジと、前記ヒンジに設けた前記ツメの各々の開き角度を調整し、かつ、固定可能とする角度設定部と、前記操作ハンドルに設けられた回転ハンドル用レバーの戻り回転を前記ツメの側面で前記丁番部及び前記各々のツメのバネ弾性で保持し規制可能とした変形操作ハンドルに対応可能なことを特徴とするテスト打ち用操作ハンドル補助具により提供される。
【０００６】
また、前記ヒンジ毎に複数枚設けた前記ツメの各々の開き角度を互いに自在に調整可能とし、かつ、固定可能とした角度設定部とを設けたことを特徴とした前記のテスト打ち用操作ハンドル補助具により提供される。
さらに、前記ツメの他端部近傍に滑り止め用チューブを被冠させたことを特徴とする前記のテスト打ち用操作ハンドル補助具により提供される。
【０００７】
さらにまた、各々が内方に折り曲げられた複数のバネ弾性を有するツメと、該ツメの一端側で固定する２組の角度設定部１１、１２を各々有する２枚のヒンジと、バネを付設して心棒７で前記ヒンジを電気的・機械的に接続させ、前記バネにより各々のヒンジ角度を内方に屈曲させた羽根形態である丁番部とした前記のいずれか記載のテスト打ち用操作ハンドル補助具により効果的に提供される。
【０００８】
【発明の実施の形態】
以下、具体的に発明の実施の形態について説明する。図面を参照して説明すると、図１は本発明のテスト打ち用操作ハンドル補助具（以下、発明の実施の形態において操作ハンドル補助具という。）の基本構成を示した概略図で、より具体的には操作ハンドル補助具の使用前の状態である。図２は同様に操作ハンドル補助具の図１の一部を省略した上面図である。図３は操作ハンドル補助具の斜視図で、後述する操作ハンドルの形態により操作ハンドル補助具は操作ハンドルに付加した回転ハンドルレバーの形、機能に対応した使用ができ、図はその一態様である。図４は操作ハンドル補助具を具体的に操作ハンドルに取り付けた状態の側面図である。図５は図４の操作ハンドル補助具を具体的に他の操作ハンドルに取り付けた状態の側面図である
【０００９】
以下具体的に説明する。操作ハンドル補助具１は丁番部２により２組の角度設定部１１、１２を接続し、心棒７を軸としてヒンジ８、ヒンジ９の角度を変化できるようにした。後述するパチンコ台の操作ハンドルを把持するツメ３、ツメ４は角度設定部１１、ツメ５、ツメ６は角度設定部１２に一端で固定させている。角度設定部１１、１２はヒンジ８、９にそれぞれ配置され複数のツメとそれを固定するねじ２７、袋ナット１４及びローレットを施したツマミ１０、１３からなる。
【００１０】
羽根形態の丁番部２は図２に示したヒンジ８、９を互いに角度自在になるよう組み立てられる。市販の丁番とは異なり２枚のヒンジの長手方向の端部に鋸歯状の切り込みを入れると共に心棒７が通せる孔部をヒンジ端部を曲げ形成させた。これらの２枚のヒンジを鋸歯部分で互いに組み合わせ心棒７で丁番部２とした。さらに、この丁番部２にヒンジが互いに図１のような閉じる方向となるようバネを使用した。
【００１１】
具体的には、ねじりスプリング１７をそれを押さえるスプリング押さえ１５を２枚のヒンジに形成させ丁番部組み立て時に取り付けるようにした。この２枚のヒンジ間の角度は図１のように平行から閉じる方向へのバネの力となることが必要である。丁番部及びツメのバネ弾性で保持し規制可能としたため後述するように変形操作ハンドルにもバネが従来のものより強力となり対応可能となった。実施例では使用開始前での開き角を８５度に設定し、２枚のヒンジが平行となる図３の状態でツメ先端の把持力を０．５ｋｇ程度とした。
【００１２】
後述する本発明の操作ハンドル補助具は変形操作ハンドルに好適な理由は２枚のヒンジの使用、かつ、それらが互いに角度を持たせた点に特徴を有するものである。実施例で使用したヒンジはＳＵＳ４３０ステンレス製として、幅１５ｍｍ、鋸部分を含めた長さ２７．５ｍｍ、厚さ１．０ｍｍとした。心棒７を通す孔は３．２ｍｍとした。ツメはＳＵＳ３０１−ＣＳＰステンレス製として、幅１５ｍｍ、展開長９０ｍｍ、応力解放時に半径３５ｍｍで半円となるよう形成し、厚さ０．８ｍｍのものを使用した。ツメの一端はヒンジ孔で固定し、他端は後述する導電性を持たせる。
【００１３】
また、ビニールチューブをツメに冠せる等して操作ハンドルに疵等が着かないようにしても良い。角度設定部１１、１２はツメの開き角度を調整後つまみ１０、１３で固定するようにした。角度設定部１１、１２はツメを操作ハンドルの回転ハンドルの位置に固定する際に安定した打球発射となるようにするためである。特に、複数のツメ間の開き角度を保持する上で好適である。
【００１４】
袋ナットとともに使用することでつまみ１０、１３がヒンジから脱落するのを防いだ。図１のツメは使用時の状態で示したが、収納時は角度調整部１２側のツメを反転させ図の点線位置２６に配置し４枚のツメを重なるようにしコンパクト化した。このようにパチンコ台により変形操作ハンドルの形態の変形に対応できることを配慮することが重要であるが、同心円型にも使用が可能であることはいうまでもない。要は操作ハンドルの形状変化により汎用性を持たせるためのヒンジの使用がポイントである。
【００１５】
また、ツメの数は実施例では４枚としたがこれに限定されない。複数枚、例えば６ないし８枚でも可能である。ツメの形状は図３の斜視図に現したものは平行型の板材として表示した。図の下側であるツメの末端側が変形したものでも良い。例えば、板材の側面に波打ち、ギザギザ形を設けたものでも良い、アースをツメ以外の他で取れるようにすれば金属であることを要しない。図４、図５の実施例で後述するが、ヒンジは平行型として現した。実際は図４のようにやや折りたたまれた形態となる。アース線１６を取ることにし、ツメを介して操作ハンドルに接地される。
このように導電性のあるツメが操作ハンドル本体の導電性部２８に接触するまでツメを押込み、他方マグネット付きアース端２５をパチンコ機の磁性体部に吸着させてアースする。
【００１６】
具体的な使用例を説明する。図４、図５が具体例である。まず、図３で取付前の状態を示すと、角度調整部１１には２枚のツメ３、４がほぼ直角に開いている。他方の角度調整部１２には２枚のツメ５、６も同様にほぼ直角に開いている。操作ハンドル補助具１としては操作ハンドルに対し、やや楕円型に開いた状態を示していることになる。この形態は単に一実施例の態様であり、ツメの角度、位置により多くの変形した操作ハンドル補助具１として提供されることが容易に理解されよう。
【００１７】
次に図４、図５に移る。これらは操作ハンドル補助具１を取り付けた状態で変形操作ハンドルの一変形例として示したものである。図４で操作ハンドル２０がハンドル軸部２９が図示しないパチンコ台の前面に設置されている。本発明でいう変形操作ハンドルの一例で、ハンドル軸部の軸中心２４がやや図の上にあり、操作ハンドルが回転ハンドル２３に対して偏心した状態となっている。これは、一例で、操作ハンドルが軸部２４と軸中心の角度が折れ曲がったようなものも見られる。要は、回転ハンドル２３と操作ハンドル補助具１が協同して回転可能なことが必要である。この変形操作ハンドルに操作ハンドル補助具１を取り付ける方法につき説明する。操作ハンドル補助具は４本のツメを開くようにして変形ハンドルに覆うように取り付ける。この時２枚のヒンジ部分もかなり開いており、変形操作ハンドルの形態、サイズにもよるがほぼ平行ないしそれ以上に開いた角度となる場合もある。この場合、丁番部は当初の８５度程度から１８０度を超えて使用することにも対応できるようにした。なお、変形ハンドルの形態、サイズにもよるが、取り付け時にツメの開き角度をセットし装着するようにすることで適宜スピードアップを図ると良い。
【００１８】
操作ハンドル２０は手のひらによるつかむ部位であり、長時間のハンドルを握っても手首に負担が掛からないものが望まれている。したがって、操作ハンドルの形状は多岐に亘ることになる。回転ハンドル２３に設けられた回転ハンドルレバー１８、１９（以下、レバーと呼ぶ場合も同義である。）は指先で打球の強さを制御するために時計方向に向けて指で回転角を変化させる。このレバー１８、１９は反時計方向に戻るよう図示しないバネにより付勢される。また、レバー１８、１９は指に良くフィットするように形、大きさ、回転ハンドルの周面間の距離を制御した各種のものが使用され、今後とも変更されていくと考えられている。
【００１９】
図４ではレバー１８、１９が大小の違い、両者間の角度は約９０度のものが図示され、図示しない他のレバーは省略してある。一般に別途１ないし３個程度付加されているものが知られている。図５ではレバー１８、１９が大小の違いが図４より少ない例で、両者間の角度は約６０度のものが図示され、図示しない他のレバーは省略してある。このように、回転ハンドル２３は、その外周に、手の指の長さ等に合致させるとともに指を引っ掛けるための複数個（図４には２個が示されている、通常４個程度）のレバーが設けられている。
【００２０】
図４に戻ると、レバー１８の図の下端（パチンコ台に向かってレバーの左端）にツメ３の側端が接触してレバーが反時計方向に戻るのを規制している。他のレバー１９等にはツメ３が規制する作用効果は必須ではないが、適宜レバー１９、その他図示しないレバーの左端ないしその近傍にツメ４、５、６が配置される。このようにして回転ハンドル２３と操作ハンドル補助具１は一体で回転ハンドルとともに回転可能となる。
【００２１】
このように変形操作ハンドルに効果的な理由は、バネにより所定角内方に屈曲された丁番部とし、これに、内方に折り曲げられた複数のツメのバネ圧が加算されたバネ弾性によるものと理解されよう。この結果、ハンドル保持力を増大させた。従来のツメを用いただけのものに比較し対応ハンドル外径がφ６０〜φ７０（６０ｍｍ〜７０ｍｍ）といった範囲の比較でも効果が確認され、特にハンドルの押さえ力、把持力についての改善が図れたといえる。具体的にはヒンジに設けたツメの各々の開き角度、固定可能とする角度設定部がとりわけ重要である。ツメが変形操作ハンドルに確実に保持されるよう把持されねばならない。バネ弾性の効果的な利用としてヒンジを利用した点で従来困難であった安定したハンドル保持が可能となった。レバーの反時計方向に戻るのを変形操作ハンドルであってもツメの側面で規制するようにしたことで、丁番部及び各々のツメのバネ弾性が寄与した作用効果となっていることが容易に理解されよう。これにより効率的、精度的にも十分機能しうる変形操作ハンドルに対応可能なテスト打ち用操作ハンドル補助具を達成できた。
【００２２】
図示しないが従来技術で示した他の操作ハンドルに対しても適用できるが、レバー１８をポイントとしてその左端にツメ３の側端を接触させ反時計方向への戻り規制を行うことがポイントである。なお、側端の語を使用したが、要はツメとレバーの接触する部位でレバーの戻り力を規制する箇所を意味するものである。例えば、図５ではツメ３の厚み部分でレバー１８と接していることで側端の表現を使用した。本発明ではさらに、他のツメ４、５、６の動作範囲の汎用性を前記丁番部方式により確保した点が重要なポイントである。
また、各ツメの内いずれかが導電性部２８に電気的に接続されることが必要である。このため、一方のヒンジにはアース線１６、磁石付きアース端２５を接続する。規定上操作ハンドルを人体でのアースを取ることが必要であるため、操作ハンドル補助具による本発明を実施する場合もアース線１６をアース端２５でパチンコ台に接地することにより行う。このため、ヒンジ、丁番部、各ツメ等はいずれも金属を使用している。
【００２３】
このようにレバー１８は回転ハンドル２３の一部であり、このレバーとツメ３ないし６、すなわち、操作ハンドル補助具１が同時に回転可能となり、図示しないモータ回路のスイッチをオンさせ、また、パチンコ玉を打撃する槌の打撃力の調整を行う。このレバー位置でツメのバネ弾力により固定保持させる。これにより操作ハンドル２０を人が手で握ったときと同様に、モータが起動され送り込まれたパチンコ玉は槌により自動的に連続して打撃される。なお、かかる打球作動状態を中止するときは、アース端を磁性体部から取り外すことで実行できる。
【００２４】
前記したように、レバー１８、１９等は回転ハンドル２３と一体に形成され、協同動作する。操作ハンドル２０は図示しない回転部材を内蔵し、ハンドルキャップ２１で密封されている。また、操作ハンドル２０は、図示しない平板部に形成されたハンドル軸部２９に対して、回転ハンドル２３を回転可能に設けることにより構成されている。
【００２５】
なお、操作ハンドル２０の内部において、一般に可変抵抗器があり、かかる可変抵抗器は、回転ハンドルの回転量に基づき抵抗値が変化し、このように変化された抵抗値の信号が信号線を介して動作する電動機ユニットに入力されるものである。電動機ユニットは、可変抵抗器における抵抗値の変化を示す信号が入力された際に、その抵抗値変化に応じて発射モータへの供給電力を調整し、槌のパチンコ球の発射力を強めたり、弱めたりして槌によるパチンコ球の発射力の加減する。この結果遊技者による操作ハンドルの操作で出玉率が変化することを利用して、打釘ゲージの調整作業を能率的に行う。
【００２６】
【発明の効果】
本発明によれば、パチンコ機の打釘ゲージを調整する際に使用されるテスト打ち用操作ハンドル補助具において変形操作ハンドルに対応可能なことが明らかとなった。複数のヒンジ８、ヒンジ９からなるため同心円型から変形操作ハンドルへの形態対応性が改良され汎用性が可能となった。
【００２７】
バネにより所定角内方に屈曲された丁番部としたため、各々が内方に折り曲げられた複数のツメのバネ圧に付加されたバネ弾性となりハンドル保持力を増大させた。一端側で固定する前記ヒンジと、前記ヒンジに設けた前記ツメの各々の開き角度を調整し、かつ、固定可能とする角度設定部としたため、角度の保持と把持力の両面で安定したハンドル保持が可能となった。また、収納時もコンパクトにする効果も見いだされた。特にハンドル押さえ力についての改善が図れた。この結果、操作ハンドルに設けられた回転ハンドル用レバーの戻り回転をツメの側面で丁番部及び各々のツメのバネ弾性で保持し規制可能としたことで変形操作ハンドルに対応可能なテスト打ち用操作ハンドル補助具を提供できた。
【００２８】
ツメの他端部近傍に滑り止め用チューブを被冠させたことで、ハンドルの保持力を安定確保できた。
さらに、バネを付設して心棒７で前記ヒンジを電気的・機械的に接続させたことで安定した性能、作業性、コスト面で省力化によるコストダウンを達成させたテスト打ち用操作ハンドル補助具として提供でき効果的となった。
【００２９】
【図面の簡単な説明】
【図１】本発明のテスト打ち用操作ハンドル補助具の基本構成を示した概略図。
【図２】操作ハンドル補助具の図１の一部を省略した上面図。
【図３】操作ハンドル補助具の斜視図。
【図４】操作ハンドル補助具を具体的に操作ハンドルに取り付けた状態の側面図。
【図５】他の操作ハンドル補助具を具体的に操作ハンドルに取り付けた状態の側面図。
【符号の説明】
１　　テスト打ち用操作ハンドル補助具
２　　丁番部
３　　ツメ
４　　ツメ
５　　ツメ
６　　ツメ
７　　心棒
８　　ヒンジ
９　　ヒンジ
１０　ツマミ
１１　角度設定部
１２　角度設定部
１３　ツマミ
１４　袋ナット
１５　スプリング押さえ
１６　アース線
１７　ねじりスプリング
１８　回転ハンドルレバー
１９　回転ハンドルレバー
２０　操作ハンドル
２１　ハンドルキャップ
２２　チューブ
２３　回転ハンドル
２４　軸中心
２５　マグネット付きアース端
２６　収納状態位置
２７　ねじ
２８　導電性部
２９　ハンドル軸部
【図１】
2004121559.tif 000003
【図２】
2004121559.tif 000004
【図３】
2004121559.tif 000005
【図４】
2004121559.tif 000006
【図５】
2004121559.tif 000007